(57)【要約】      （修正有）【課題】パレットヘのカゴの取り付けが簡単で、しかも、一度取り付けた後はパレットからカゴが簡単にはずれることのないボックスパレットを提供する。【解決手段】フォーク挿入口２ａを有するパレット１と、前後左右の隅部３ａに装着され、且つフォーク挿入口に挿入される前後左右の前・後側コーナー金具４、５と、左右両側網６，７及び背網８と、閉塞時に側網と扉網とに固着される天網１１を有するカゴＫとで構成され、フォーク挿入口と反対方向に互いに対向するように開口し、且つ下方に切り下げられた逆Ｌ字状切欠１２が前・後側支柱部４ｂ，５ｂに設けられ、左右両側網に逆Ｌ字状切欠に係止する係止部材１３が設けられ、閉扉時に扉網に係止する係止爪１４が前・後側コーナー金具から前方に突設され、背網が後側コーナー金具の後側支柱部から内側に突設された掛止部材に掛止されていることを特徴とするボックスパレット。【選択図】図１
2010083571.tif 000002
【特許請求の範囲】
【請求項１】
(a)  前面及び背面にフォークリフトのフォーク挿入口が設けられたパレットと、
(b)  前記パレットの左右前隅部のそれぞれの前面から側面にかけての部分に装着され、前側フォーク挿入口に挿入される前側差込片を有すると共に前記パレットの左右前隅部の前面から側面にかけてのコーナー部分に設けられ且つパレット上面より上に突出する前側支柱部を有する左右の前側コーナー金具と、
(c)  前記パレットの左右後隅部のそれぞれの背面から側面にかけての部分に装着され、後側フォーク挿入口に挿入される後側差込片を有すると共に前記パレットの左右後隅部の背面から側面にかけてのコーナー部分に設けられ且つパレット上面より上に突出する後側支柱部を有する左右の後側コーナー金具と、
(d)  前記パレットの上面周縁に於いて立設される左右両側網少なくとも前記いずれかの側網に取り付けられて立設される背網及び前記左右両側網のそれぞれに蝶着された左右一対の扉網と、
(e)  前記背網に蝶着され、閉塞時に前記側網と前記扉網とに固着される天網を有するカゴとで構成され、
(f)  前記フォーク挿入口と反対方向にて互いに対向するようにそれぞれ開口し、且つ該開口部から下方に切り下げられた逆Ｌ字状切欠が前記両前・後側コーナー金具の前・後側支柱部に設けられ、
(g)  前記左右両側網に前記逆Ｌ字状切欠に係止する係止部材が設けられ、
(h)  閉扉時に前記扉網に係止する係止爪が前・後側コーナー金具から前方に突設され、
(i)  背網が後側コーナー金具の後側支柱部から内側に突設された掛止部材に掛止され
ていることを特徴とする網型ボックスパレット。
【請求項２】
天網が前側天網と後側天網の２分割構成となっており、前側天網が後側天網に蝶着されていることを特徴とする請求項１に記載の網型ボックスパレット。
【発明の詳細な説明】
【技術分野】
【０００１】
本発明は、パレットへの網で構成されたカゴの取り付けが簡単で、一度取り付けた後はパレットからカゴが簡単にはずれることがなく、しかも薬液の入った大型ポリ容器などの出し入れも簡単な網型ボックスパレットに関する。
【背景技術】
【０００２】
従来から薬品などの危険物を保管・運搬するためのものとして外部からの視認が容易なことからパレットに網かごを装着した網型ボックスパレット１００が利用されている。特に、大型ポリ容器の出し入れなど取り扱いの簡便さから天網がなく、扉網１０１ａ、１０１ｂが観音開きになっているものが主流であった(特許文献１)。しかしながら網かごが金網だけで構成されているため強度的に問題があり、パレット１０２とは別に底板１０３を設け、この底板１０３に両側網１０４、１０５及び背網１０６を取り付けるなどの工夫がなされていた。
【０００３】
このような構造であったとしても扉網１０１ａ、１０１ｂが側網１０４、１０５に蝶着されているが、網かごが金網構造であるため強度的に不足し、扉網１０１ａ、１０１ｂがグラグラするというような問題や、底板１０３を設ける必要があるため底板１０３とパレット１０２の固定などの問題があって取扱いが不便であり、加えて最近になって劇薬や可燃性薬剤の入った大型ポリ容器などの収納なども行われるようになり、厳重な管理が要求されるようになってきたため、天網（この場合はなし。）を設け、更に各網同士が簡単に離脱しないように固定しておくことが要求されるようになった（特許文献１）。
【特許文献１】実開平４‐２１４３３号
【発明の開示】
【発明が解決しようとする課題】
【０００４】
本発明は、かかる従来の問題点に鑑みてなされたもので、パレットへのカゴの取り付けが簡単で、しかも、パレットへの組み付け後の強度は網製であるにも拘わらず十分な強度を持ち、施錠後は天網や扉網が開くようなことがなく一度取り付けた後はパレットからカゴが簡単にはずれることのない厳重管理に最適なボックスパレットを提供するものである。
【課題を解決するための手段】
【０００５】
請求項１に記載した発明は、
(a)  前面及び背面にフォークリフトのフォーク挿入口２ａ、２ｂが設けられたパレット１と、
(b)  前記パレット１の左右前隅部３ａのそれぞれの前面３ａ１から側面３ａ２にかけての部分に装着され、前側フォーク挿入口２ａに挿入される前側差込片４ａを有すると共に前記パレット１の左右前隅部３ａの前面３ａ１から側面３ａ２にかけてのコーナー部分に設けられ且つパレット上面１ａより上に突出する前側支柱部４ｂを有する左右の前側コーナー金具４と、
(c)  前記パレット１の左右後隅部３ｂのそれぞれの背面３ｂ１から側面３ｂ２にかけての部分に装着され、後側フォーク挿入口２ｂに挿入される後側差込片５ａを有すると共に前記パレット１の左右後隅部３ｂの背面３ｂ１から側面３ｂ２にかけてのコーナー部分に設けられ且つパレット上面１ａより上に突出する後側支柱部５ｂを有する左右の後側コーナー金具５と、
(d)  前記パレット１の上面周縁に於いて立設される左右両側網６、７、少なくとも前記いずれかの側網６、７に取り付けられて立設される背網８及び前記左右両側網６、７のそれぞれに蝶着された左右一対の扉網９、１０と、
(e)  前記背網８に蝶着され、閉塞時に前記側網６、７と前記扉網９、１０とに固着される天網１１を有するカゴＫとで構成され、
(f)  前記フォーク挿入口２ａ、２ｂと反対方向にて互いに対向するようにそれぞれ開口し、且つ該開口部から下方に切り下げられた逆Ｌ字状切欠１２が前記両前・後側コーナー金具４、５の前・後側支柱部４ｂ、５ｂに設けられ、
(g)  前記左右両側網６、７に前記逆Ｌ字状切欠１２に係止する係止部材１３が設けられ、
(h)  閉扉時に前記扉網９、１０に係止する係止爪１４が前・後側コーナー金具４、５から前方に突設され、
(i)  背網８が後側コーナー金具５の後側支柱部５ｂから内側に突設された掛止部材３１(又は３２)に掛止されていることを特徴とするボックスパレットＡである。
【０００６】
請求項２に記載した発明は、天網１１の改良で、天網１１が前側天網１１ａと後側天網１１ｂの２分割構成となっており、前側天網１１ａが後側天網１１ｂに蝶着されていることを特徴とする。
【発明の効果】
【０００７】
この発明によれば、天網１１及び扉網９、１０の両方が開閉するので、通常の大型ポリ容器は勿論、劇薬などの薬剤或は可燃性液体などを収納した大きなポリ容器などでも出し入れが簡単となる。しかもコーナー金具４、５によるパレット１へのカゴＫの取り付けが簡単で、一度取り付けた後は、前側フォーク挿入口２ａに挿入された前側コーナー金具４の前側差込片４ａ、後側フォーク挿入口２ｂに挿入された後側差込片５ａ、逆Ｌ字状切欠１２に係止した左右両側網６、７の係止部材１３、閉扉時に前記扉網９、１０に係止する係止爪１４、後側コーナー金具５の後側支柱部５ｂから内側に突設された掛止部材３１(又は３２)に背網８が掛止されていることなどの働きにより、パレット１からカゴＫが簡単にはずれることがなく、左右両側網６、７、扉網９、１０、背網８、天網１１は互いに蝶着されていてパレット１への組み付け後の強度は網製であるにも拘わらず十分な強度を持ち、加えて施錠後は天網１１や扉網９、１０が開くようなことがない厳重管理に最適な網型ボックスパレットＡとなる。
【発明を実施するための最良の形態】
【０００８】
以下、本発明を図面に従って説明する。図１は本発明にかかる網型ボックスパレットＡを示す斜視図であり、図２は扉網９、１０と天網１１を開いたところの斜視図である。これらの図が示すように、網型ボックスパレットＡは、パレット１、左右一対の前側コーナー金具４、左右一対の後側コーナー金具５およびカゴＫにより構成されており、まず、その全体を概略的に説明し、続いて各パートを詳述する。
【０００９】
カゴＫは、左右両側網６、７、本実施例では正面から見て左側の側網６の後端に背網８の左端が丁番２３にて蝶着され、その右端部分が右側の側網７の後端折曲片部７ｂに面接するようになっている[図１(e)]。この時、正面から見て背網８の右上隅の半リング突起８ａが後端折曲片部７ｂの網目７ｃに挿入されて上下にずれないようになっている。
【００１０】
また、側網６、７の前端には扉網９、１０が丁番２７、２８にて開閉自在に蝶着されており、扉網９、１０の自由開閉端には上下に扉網ロック部Ｊ９、Ｊ１０が上下に設けられている。天網１１は勿論、１枚物でも良いが、ここでは前後に分割されていて、後側天網１１ｂが背網８の上端に丁番２４にて蝶着され、更に前部天網１１ａが折畳用丁番２９にて伸展・折り畳み可能に後側天網１１ｂに接続されている。
【００１１】
そして、扉網９、１０の上端は背方に折り曲げられていてこの上辺折曲片部９ａ、１０ａは閉扉時に、伸展されてカゴＫの天井部分を天網１１が覆った時に前部天網１１ａの前端部分を上から覆うようになる。これと同時に前部天網１１ａの前端から前方に突設されている半リング突起１１ｃが扉網９、１０の網目９ｄ、１０ｄに入り込んでおり、開扉しない限り天網１１が開かないようになっている。
【００１２】
天網１１の後側天網１１ｂの前部天網１１ａに近い部分には、伸展されてカゴＫの天井部分を天網１１が覆った時に左右両側網６、７と後側天網１１ｂとをそれぞれロックする天網ロック部Ｊ６、Ｊ７が設けられている。(天網ロック部Ｊ６、Ｊ７は同じ構造で、図１(d)には天網ロック部Ｊ６だけを開示する。)
また、左右両側網６、７の上辺には所定間隔で半リング突起６ａ、７ａが突設されており、伸展されてカゴＫの天井部分を天網１１が覆った時に前・後側天網１１ａ、１１ｂの左右両端の網目１１ｆに半リング突起６ａ、７ａが嵌まり込んで左右両側網６、７が外側方にずれないようになっている。
【００１３】
従って、カゴＫは組み立てた時(閉扉時)は、左右両側網６、７、左右両前網９、１０、天網１１及び背網８が一体となっており、収納時には丁番２７、２３、２４で蝶着された左側の側網６、左側の前網９、天網１１と、丁番２８で蝶着された右側の側網６、右側の前網１０とに分割・折畳み収納することが出来る。
【００１４】
カゴＫは左右一対の前側コーナー金具４と、同じく左右一対の後側コーナー金具５によりパレット１上に着脱可能にて組み立て固定される。この際、前・後側コーナー金具４、５の前・後側支柱部４ｂ、５ｂに設けられた逆Ｌ字状切欠１２に前記左右両側網６、７の係止部材１３が係止され、更に背面から掛止部材３１に掛止されて背網８が後側支柱部５ｂに固定される。図７の場合は掛止部材は３１後面側片部５ｂ２に螺入されるビスであり、図８の場合は後側支柱部５ｂの後面側片部５ｂ２の内面側に溶接にて突設された掛止突起である。
【００１５】
これに加えて閉扉時には前側コーナー金具４から前方に突設された係止爪１４が扉網９、１０の構成網目９ｆ、１０ｆに入り込み、閉扉時の扉網９、１０の浮き上がりを防止している。そしてこのような構造にすることで、閉扉時の天網ロック部Ｊ６、Ｊ７及びＪ９、Ｊ１０をロックするだけでカゴＫを確実にパレット１上に組み立て固定できる。分解した場合には、前述のようにカゴＫを２つのブロックに分割し、これ等を折り畳んで収納することができる。以下、構成部材及び各ブロックについて説明する。
【００１６】
パレット１は、矩形箱状の部材であり、その胴部には前面から背面に至って貫通し、前面及び背面に開口する左右一対のフォーク挿入口２ａ、２ｂが形成されている。本実施例では、木の板材を組合わせることによってパレット１が形成されているが、樹脂の一体成形によってパレット１を形成してもよい。
【００１７】
前側コーナー金具４は金属(鉄板)等の剛性材料を折曲と溶接とで形成したもので、図７(a)はその左用で、右用はその対称形に形成される。前側コーナー金具４は本体部４ｃ、前側差込片部４ａ及び前側支柱部４ｂとで大略構成されている。本体部４ｃは前面片部４ｃ１と側面片部４ｃ２とで構成された平面視略Ｌ字状の板状部材であり、その上部端縁部４ｄは内側に折曲されている。そして本体部４ｃの上面隅部には、前側支柱部４ｂが溶接されて立設されている。前側支柱部４ｂは、平面視略Ｌ字状の板状部材であり、その側面側片部４ｂ１の側縁には、開口から下方に切り下げられた溝で構成された逆Ｌ字状切欠１２が上下に並んで２つ形成されている（勿論、２に限られない。）。本体部４ｃの前面片部４ｃ１の上部端縁部４ｄ１には前方に延びる逆Ｌ型の係止爪１４が折り曲げ或は溶接により設けられている。そして上部端縁部４ｄの前面側である上部端縁部４ｄ１と側面側である上部端縁部４ｄ２との間に繋ぎ縦板材１５が溶接され、繋ぎ縦板材１５と前側支柱部４ｂとの間に側網６、７の前下隅部分が嵌り込むことが出来る隙間Ｓ１となっている［図３(a)］。
【００１８】
後側コーナー金具５は前側コーナー金具４とほぼ同様の形状で、金属(鉄板)等の剛性材料を折曲と溶接とで形成したもので、図７(b)はその左用で、右用はその対称形に形成される。後側コーナー金具５は本体部５ｃ、後側差込片部５ａ及び後側支柱部５ｂとで大略構成されている。本体部５ｃは後面片部５ｃ１と側面片部５ｃ２とで構成された平面視略Ｌ字状の板状部材であり、その上部端縁部５ｄは内側に折曲されている。そして本体部５ｃの上面隅部には、後側支柱部５ｂが溶接されて立設されている。後側支柱部５ｂは、平面視略Ｌ字状の板状部材であり、その側面側片部５ｂ１の側縁には、前記と同じ逆Ｌ字状切欠１２が上下に並んで２つ形成されている（勿論、２に限られない。）。そして上部端縁部５ｄの前面側である上部端縁部５ｄ１と側面側である上部端縁部５ｄ２との間に繋ぎ縦板材１５が溶接され、繋ぎ縦板材１５と後側支柱部５ｂとの間に側網６、７の後下隅部分、及び背網８の左・右下隅部分が嵌り込むことが出来る隙間Ｓ２となっている。そして、後面側片部５ｂ２にはネジ孔５ｂ３が螺設されている。
【００１９】
図８は後側コーナー金具５の他の実施例で、ネジ孔５ｂ３に螺着されたビスである掛止部材３１の代わりに同位置に溶接で掛止突起が内方に向けて植設されている。また繋ぎ縦板材１５の代わりに繋ぎ縦棒材１６が上部端縁部５ｄ１、５ｄ２のコーナー部に溶接され、繋ぎ縦棒材１６と後側支柱部５ｂとの間に前記同様側網６、７の後下隅部分、及び背網８の左・右下隅部分が嵌り込むことが出来る隙間Ｓ２となっている。
【００２０】
カゴＫは前記パレット１の上面周縁に於いて立設される左右両側網６、７、少なくとも前記いずれかの側網６、７に取り付けられて立設される背網８(ここでは丁番２３にて左側の金網６の後端に蝶着されている。)及び前記左右両側網６、７の前端にそれぞれに蝶着された左右一対の扉網９、１０、前記背網８に蝶着され、閉塞時に前記側網６、７と前記扉網９、１０とに固着される天網１１とで構成され、これらの主体は縦横に編み込まれた金網で構成されている。
【００２１】
左右両側網６、７の前・後の下隅にはボタン形の係止部材１３が側網６、７の構成部材である線材６Ｓ、７Ｓに上下にて配置して溶接されている[図３(ｂ)参照。図は同図(ａ)である前左側を拡大したものであるが、代表例で他の部分も同様の構造である。]。係止部材１３の形状は大径の係止めボタン部１３ａと小径の脚部１３ｂとで構成されており、脚部１３ｂが前記縦横に編み込まれた線材６Ｓ、７Ｓの交差部分に溶接され、線材６Ｓ、７Ｓの係止めボタン部１３ａとの間に係止め間隙１３ｃが設けられている。また、側網６、７の上辺には複数箇所(本実施例では四カ所)の半リング突起６ａ、７ａが突設されている。そして側網６の中央後端寄りに既述の天網ロック部Ｊ６が、反対側には同構造の天網ロック部Ｊ７が設けられている。
【００２２】
天網ロック部Ｊ６、Ｊ７は後側天網１１ｂ側の側縁に設けられた一方の錠前取付部材１１ｅと、天網１１を閉じたときにこれに近接するように側網６又は７に設けられたＬ型の他方の錠前取付部材６ｂ及び両者に穿設された通孔に取り付けられる錠前４１とで構成される。
【００２３】
天網１１は本実施例では前後に分割されており（図示していないが、分割しなくてもよいことはいうまでもない。）、後側天網１１ｂが背網８に丁番２４で蝶着されている。天網１１の前方天網１１ａは丁番２９にて後側天網１１ｂの先端部に屈伸自在に蝶着されており、さらにその前端に複数の半リング突起１１ｃが突設されている。本実施例では前記半リング突起１１ｃが扉網９、１０の上端の網目９ｄ、１０ｄにあわせて前方天網１１ａの中央に２個、前端両端にそれぞれ一つずつ、計４箇所溶接されている［図４(b)］。
【００２４】
背網８も全体が縦横の編み込み線材で構成されており、既述のように上辺の一方の隅(本実施例では正面から見て右上隅)に内側に向かって突出するように半リング突起８ａが溶接されている。そして背網８は本実施例では図１の左側の側網６に丁番２３で上下にて蝶着されている。側網６、７はほぼ同じ形状に形成されているが、背網８との関係から、本実施例では右側の側網７の後端部が直角に折り曲げられて後端折曲片部７ｂとしてある。
【００２５】
扉網９、１０は左右一対でパレット１の横幅の半分の大きさで、左右両側網６、７の前端に丁番２７、２８で上下にて蝶着されて、その上辺は後方に折り曲げられており(この部分が上辺折曲片部９ａ、１０ａである。)、両扉網９、１０の自由開閉端の上部及び中段やや下に扉網ロック部Ｊ９、Ｊ１０が設けられている。
【００２６】
扉網ロック部Ｊ９、Ｊ１０は同様の構造で、扉網９、１０にそれぞれ溶接された一方の錠前取付部材９ｅ、１０ｅ及び両者に穿設された通孔に取り付けられる錠前４４とで構成される。
【００２７】
次に、本発明の組み立てについて説明する。パレット１のフォーク挿入口２ａ、２ｂに前後から前・後側コーナー金具４、５の前・後側差込片部４ａ、５ａを挿入するようにしてパレット１の４隅に前・後側コーナー金具４、５を前後方向に隙間を持たせた状態で嵌め込む。
【００２８】
次いで折り畳み状態で収納されているカゴＫを取り出し、左側網６、左前網９及び天網１１付きの背網８を展開してパレット１の上に若干持ち上げた状態で、パレット１にセットされた前・後側コーナー金具４、５の前・後側支柱部４ｂ、５ｂの間に左側網６と背網８をセットし、この状態で前・後側コーナー金具４、５を幅寄せして左側網６の係止部材１３の脚部１３ｂを逆Ｌ字型切欠１２の開口から挿入し、更にその状態で前・後側コーナー金具４、５を内側に寄せて間隔を狭め、奥まで入った処で左側網６を落として脚部１３ｂが逆Ｌ字型切欠１２の縦溝部分に入り込むようにし、係止めボタン部１３ａで逆Ｌ字型切欠１２に左側網６が止め付けられるようにする。この時、左側網６の前後下隅部分と背網８の左下隅が前・後側コーナー金具４、５の嵌め込み用の隙間Ｓ１、Ｓ２に嵌りこむ。続いて係止部材３１であるビスを後側支柱部５ｂのネジ孔５ｂ３に螺入し、背面に立設されている背網８の網目に係止部材３１の内側突出脚を挿入して背網８の受け上がりを防止する。
【００２９】
係止部材３１であるビスは前述の場合と異なり、予め螺着しておいて後側支柱部５ｂの内側に係止部材３１の内側突出脚を突出させておいてもよく、この場合は背網８の嵌め込み用の隙間Ｓ２への挿入時に該内側突出脚に背網８が引っ掛らないようにし、挿入後に該内側突出脚が背網８の網目に挿入されるように組み立て操作する必要がある。この点は図８の場合も同じである。同様にして右側網７を右前・後側コーナー金具４、５に止め付ける。左右はいずれを先にしてもよい。
【００３０】
次いで、丁番２３を中心に天網１１付きの背網８を右側網７の後端折曲片部７ｂ側に回動させ、前述のように背網８の右端部分を右側網７の後端折曲片部７ｂに面接させ、同時に背網８の半リング突起８ａを後端折曲片部７ｂの網目７ｃに挿入する。これによりカゴＫはパレット１に一体的に固定されることになる。
【００３１】
この状態で背網８の背面側に折り畳まれていた天網１１を回動させ、左右両側網６、７の上に載置する。天網１１が分割式の場合は、折り畳まれた状態でまず後側天網１１ｂを載せ、続いて前部天網１１ａを回動させて載せる。すると左右両側網６、７の半リング突起６ａ、７ａが天網１１の両側縁の網目１１ｆに入り込むと同時に錠前取付部材６ｂと錠前取付部材１１ｅとが隣接状態になる。
【００３２】
然る後、丁番２７、２８を中心に扉網９、１０を閉方向に回動させると扉網９、１０の上辺折曲片部９ａ、１０ａが天網１１の先端部分を上から覆う。これと同時に天網１１の先端部分から前方に突出している半リング突起１１ｃが扉網９、１０の網目９ｄ、１０ｄに入り込み天網１１が上方向にはずれなくなる。扉網９、１０が閉じられると扉網ロック部Ｊ９、Ｊ１０の錠前取付部材９ｅ、１０ｅが隣接状態になる。
【００３３】
容器収納に際しては、扉網９、１０又は天網１１を開けた状態でカゴＫ内に収納し、前述のようにして扉網９、１０又は天網１１を閉じる。そして、最後に錠前取付部材６ｂ、１１ｅ、９ｅ、１０ｅの通孔に錠前４１、４４のリングを挿通してロックする。これによりカゴＫは一体となり、内部の容器の収納状態が外部から視認できる状態で錠前４１、４４をはずさない限り取り出すことが出来なくなる。
【図面の簡単な説明】
【００３４】
【図１】本発明の１実施例の斜視図
【図２】図２の天網、扉網を開いた斜視図
【図３】図２の平面図
【図４】図２の正面図
【図５】図２の左側面図
【図６】図４のＡ−Ａ’断面図
【図７】本発明のコーナー金具の斜視図
【図８】本発明のコーナー金具の他の実施例の斜視図
【図９】従来例の分解斜視図
【符号の説明】
【００３５】
１            パレット
１ａ          パレット上面
２ａ、２ｂ    フォーク挿入ロ
３ａ          パレットの前隅部
３ａ１        パレットの前面
３ａ２        パレットの側面
３ｂ          パレットの後隅部
３ｂ１        パレットの背面
３ｂ２        パレットの側面
４            前側コーナー金具
４ａ          前側コーナー金具の前側差込片
４ｂ          前側コーナー金具の前側支柱部
５            後側コーナー金具
５ａ          後側コーナー金具の後側差込片
５ｂ          後側コーナー金具の後側支柱部
６、７        側網
８            背網
９、１０      扉網   
１１          天網
１１ａ        前側天網
ｌｌｂ        後側天網
１２          逆Ｌ字状切欠
１３          係止部材
Ａ            ボックスパレット
Ｋ            カゴ
【図１】
2010083571.tif 000003
【図２】
2010083571.tif 000004
【図３】
2010083571.tif 000005
【図４】
2010083571.tif 000006
【図５】
2010083571.tif 000007
【図６】
2010083571.tif 000008
【図７】
2010083571.tif 000009
【図８】
2010083571.tif 000010
【図９】
2010083571.tif 000011